(57)【要約】【課題】カムフォロワの支持構造が堅牢で、しかも、簡素なカードコネクタを提供する。【解決手段】カードコネクタのハウジング１の内側には、複数のコンタクト２が保持され、また、イジェクトバー３がスライド可能に保持されている。イジェクトバーには、ハートカム部３ａが設けられ、ハートカム部に形成された溝３ａ１にカムフォロワ４の一端の折曲部４ａが挿入される。カムフォロワの他端の折曲部４ｂは、軸受兼ホールドダウン５の軸受部５ａの孔５ａ１に挿入されて支持される。軸受兼ホールドダウンは、金属で製造され、筒状の軸受部とその下部に位置するコ字状のホールドダウンとから一体に構成され、ハウジングの底面部１ａと奥側の壁部１ｂとにモールドインされる。ただし、軸受部の上面は、奥側の壁部から露出し、また、ホールドダウンの両先端は、ハウジングから突出する。【選択図】      図３
2004281100.tif 000002
【特許請求の範囲】
【請求項１】
ハウジングと、前記ハウジングに保持される複数のコンタクトと、前記ハウジングにスライド可能に保持されるイジェクト機構とを有し、
前記ハウジングには、金属製の軸受兼ホールドダウンがモールドインされ、
前記イジェクト機構は、カム部と、前記カム部をガイドするカムフォロワとを有し、
前記カムフォロワは、その一端が前記カム部と移動可能に係合し、その他端が前記軸受兼ホールドダウンの軸受部と係合して回転軸となることを特徴とするカードコネクタ。
【請求項２】
前記軸受兼ホールドダウンは、筒状の軸受部とコ字状のホールドダウンとから一体に構成されることを特徴とする請求項１記載のカードコネクタ。
【発明の詳細な説明】
【０００１】
【発明の属する技術分野】
本発明は、カードコネクタに関し、特に、カードコネクタにおけるイジェクトバーのハートカム部をガイドするカムフォロワの軸受に関する。
【０００２】
【従来の技術】
従来のカードコネクタにおけるイジェクトバーのハートカム部をガイドするカムフォロワについて図７を参照して説明する。
【０００３】
合成樹脂製のハウジング３１には、イジェクトバー３２が矢印方向にスライド可能に保持されている。ハウジング３１の左側壁３１ａの先端付近には、カムフォロワ３３を固定するための溝３１ａ１が形成されている。
【０００４】
カムフォロワ３３には、一端付近にクランク状の折曲部３３ａが形成され、他端に折曲部３３ｂが形成されている。
【０００５】
カムフォロワ３３をハウジング３１の溝３１ａ１に白抜矢印方向に圧入して固定する。次に、合成樹脂製のカバー４１をハウジング３１に白抜矢印方向に被覆すると、カムフォロワ３３は、ハウジング３１とカバー４１とによって挟持される。
【０００６】
なお、カムフォロワ３３の折曲部３３ｂは、イジェクトバー３２に形成されたハートカム部（図示せず）をガイドして、カード（図示せず）のハウジング３１への挿入状態をロックし、また、ロックを解除してカードのハウジング３１からのイジェクトを許容するが、この点は、プッシュ−プッシュ式カードコネクタにおいて周知の事項であるので、詳細な説明を省略する。
【０００７】
この種のプッシュ−プッシュ式カードコネクタは、本出願前に頒布された刊行物に記載されている（例えば、特許文献１及び特許文献２参照。）。
【０００８】
【特許文献１】
特開平９−２８３２１０号公報（第５頁第７欄第３８行−第６頁第９欄第１３行、図２−４）
【０００９】
【特許文献２】
特開２００１−５２８１２号公報（第３頁第４欄第２５行−第４頁第５欄第１５行、図３，４）
【００１０】
【発明が解決しようとする課題】
図７に示される従来のカードコネクタにおいては、カムフォロワの一端付近の折曲部は、ハウジングに圧入によって固定され、また、ハウジングとカバーとによって挟持される。したがって、カムフォロワの支持構造は、堅牢でない。
【００１１】
また、両特許文献に記載された従来のカードコネクタにおいては、カムフォロワは、ロック機構又はイジェクトプレートに設けられた金属製の軸受部に支持されている。したがって、カムフォロワの支持構造は、堅牢でない。
【００１２】
そこで、本発明は、前記従来の諸カードコネクタの欠点を改良し、カムフォロワの支持構造が堅牢で、しかも、簡素なカードコネクタを提供しようとするものである。
【００１３】
【課題を解決するための手段】
本発明は、前記課題を解決するため、次の手段を採用する。
【００１４】
１．ハウジングと、前記ハウジングに保持される複数のコンタクトと、前記ハウジングにスライド可能に保持されるイジェクト機構とを有し、前記ハウジングには、金属製の軸受兼ホールドダウンがモールドインされ、前記イジェクト機構は、カム部と、前記カム部をガイドするカムフォロワとを有し、前記カムフォロワは、その一端が前記カム部と移動可能に係合し、その他端が前記軸受兼ホールドダウンの軸受部と係合して回転軸となるカードコネクタ。
【００１５】
２．前記軸受兼ホールドダウンは、筒状の軸受部とコ字状のホールドダウンとから一体に構成される前記１記載のカードコネクタ。
【００１６】
【発明の実施の形態】
本発明の一実施の形態例のカードコネクタについて図１〜図６を参照して説明する。
【００１７】
図１は、カードコネクタの斜視図であり、合成樹脂製のハウジング１は、合成樹脂製のカバー１１によって被覆されている。
【００１８】
図２は、ハウジング１からカバー１１がはずされた状態のカードコネクタの斜視図である。ハウジング１の底面部１ａの内面の中央には、多数のコンタクト２が一定のピッチで１列に配設されている。底面部１ａの内面の左側には、イジェクトバー３がスライド可能に保持されている。
【００１９】
イジェクトバー３には、ハートカム部３ａが設けられ、ハートカム部３ａに形成された溝３ａ１（図３の拡大図参照）にカムフォロワ４の一端の折曲部４ａが挿入されている。カムフォロワ４の他端の折曲部４ｂは、軸受兼ホールドダウン５の軸受部５ａの孔５ａ１に挿入されて支持されている。図４と図５に示されるように、軸受兼ホールドダウン５は、金属で製造され、筒状の軸受部５ａとコ字状のホールドダウン５ｂとから一体に構成され、ハウジング１の底面部１ａと奥側の壁部１ｂとにモールドインされる。ただし、軸受部５ａの上面は、奥側の壁部１ｂから露出し、また、ホールドダウン５ｂの両先端は、ハウジング１から突出する。
【００２０】
イジェクトバー３においては、ハートカム部３ａの先端からハウジング１の幅方向にカード用の当接部３ｂが突出形成されている。カード（図示せず）をハウジング１に挿入すると、カードの先端が当接部３ｂをハウジング１の奥側に押して、イジェクトバー３をスライドさせ、カムフォロワ４の折曲部４ｂが回転軸となって、カムフォロワ４の折曲部４ａはハートカム部３ａをロックする。カードをハウジング１からイジェクトしたい場合には、カードの後端を押すと、ロックが解除されるので、イジェクトバー３はスプリング（図示せず）によってハウジング１の入口側にスライドする。このとき、当接部３ｂはカードの先端をハウジング１の入口側に押すため、カードはハウジング１からイジェクトされる。上述した作用は、プッシュ−プッシュ式カードコネクタにおいて、周知の事項であるから、これ以上の詳細な説明を省略する。
【００２１】
カムフォロワ４にかかる力の関係を図６に模式的に示す。カムフォロワ４の一端の折曲部４ａにイジェクトバー３のハートカム部３ａから矢印Ａ方向の引張力が作用するとき、軸受兼ホールドダウン５の軸受部５ａに矢印Ｂ，Ｃ方向の反力が生じるので、カムフォロワ４は軸受部５ａによって図示の状態に支持される。
【００２２】
【発明の効果】
以上の説明から明らかなように、本発明によれば、次の効果が、奏される。
【００２３】
１．金属製の軸受兼ホールドダウンがハウジングにモールドインされているので、カードコネクタの構造は堅牢である。
【００２４】
２．軸受兼ホールドダウンの軸受部も金属製であるから、カムフォロワを安定して支持するので、イジェクトバーがスムーズにスライドすることができる。
【００２５】
３．ホールドダウンがプリント基板等に半田付けされると、軸受部もカードコネクタ全体も安定した状態に保持される。
【００２６】
４．軸受兼ホールドダウンは、構造が簡素で、製作が容易で、しかも、コストが安価である。
【図面の簡単な説明】
【図１】本発明の一実施の形態例のカードコネクタの斜視図である。
【図２】同カードコネクタからカバーがはずされた状態の斜視図である。
【図３】図２における要部の拡大斜視図である。
【図４】同カードコネクタにおける軸受兼ホールドダウンがモールドインされたハウジングの部分の斜視図であり、（Ａ）はハウジングの内側から見たもの、（Ｂ）はハウジングの外側から見たものを、それぞれ示す。
【図５】同カードコネクタにおける軸受部にカムフォロワの折曲部が挿入されて支持されている状態の斜視図である。
【図６】同カードコネクタにおけるカムフォロワにかかる力の関係を示す模式的断面図である。
【図７】従来のカードコネクタにおけるハウジング、カバー及びカムフォロワの要部の組立前と組立後の斜視図及び斜視断面図である。
【符号の説明】
１    ハウジング
１ａ    底面部
１ｂ    奥側の壁部
２    コンタクト
３    イジェクトバー
３ａ    ハートカム部
３ａ１    溝
３ｂ    当接部
４    カムフォロワ
４ａ    折曲部
４ｂ    折曲部
５    軸受兼ホールドダウン
５ａ    軸受部
５ａ１    孔
５ｂ    ホールドダウン
１１    カバー
【図１】
2004281100.tif 000003
【図２】
2004281100.tif 000004
【図３】
2004281100.tif 000005
【図４】
2004281100.tif 000006
【図５】
2004281100.tif 000007
【図６】
2004281100.tif 000008
【図７】
2004281100.tif 000009